(57)【要約】【課題】ドア枠が予め設けられることで現場での作業性を良好とする、壁パネル、この壁パネルに対するドア枠の取付構造、前記壁パネルの設置方法を提供すること。【解決手段】壁パネル本体１１には、開口部１１ｃを挟んで互いに対向する下端部１１ｄを繋ぎ、ドア枠１２の下辺部１２ｃを外側から覆う補強部材１３が予め取り付けられているので、壁パネル本体１１の開口部１１ｃに、ドア枠１２をその変形が防止された状態に予め取り付けることができる。ドア枠１２を壁パネル本体１１に予め取り付けることができるので、この壁パネル本体１１にさらに外装材や内装材を予め取り付けることができる。したがって、現場におけるドア枠１２の壁パネル本体１１に対する取り付け作業や、外装材や内装材の壁パネル本体１１に対する取り付け作業を省略して施工性を良好とすることができる。【選択図】      図１
2004156374.tif 000002
【特許請求の範囲】
【請求項１】
下端が開口された開口部を有して略門型に形成された壁パネル本体と、下辺部が壁パネル本体下端より下方に突出した状態に前記開口部に対して予め取り付けられるドア枠とを備えた壁パネルであって、
前記壁パネル本体には、前記開口部を挟んで互いに対向する下端部を繋ぎ、前記ドア枠の下辺部を外側から覆う補強部材が予め取り付けられていることを特徴とする壁パネル。
【請求項２】
前記壁パネル本体には、外装材又は内装材のうちの少なくとも一方が予め取り付けられていることを特徴とする請求項１に記載の壁パネル。
【請求項３】
前記補強部材には、その前記壁パネルに取り付けられた状態での壁パネルの運搬手段による運搬の際に、前記運搬手段の構成部材が接触することを防止する切欠部が形成されていることを特徴とする請求項１又は請求項２に記載の壁パネル。
【請求項４】
下端が開口された開口部を有して略門型に形成された壁パネル本体の前記開口部に対して、下辺部が壁パネル本体下端より下方に突出した状態にドア枠が予め取り付けられたドア枠の取付構造であって、
前記ドア枠の前記開口部に対する取付は、前記壁パネル本体の前記開口部を挟んで互いに対向する下端部を繋ぐ補強部材によって下辺部が外側から覆われた状態でなされていることを特徴とするドア枠の取付構造。
【請求項５】
請求項１に記載の壁パネルを、その開口部にドアが設けられた状態に現場で設置する壁パネルの設置方法であって、
前記壁パネル本体に前記補強部材及び前記ドア枠を取り付けて前記壁パネルを予め製作し、
この壁パネルを現場に運搬して所定位置に設置するとともに、前記ドア枠にドアを支持させることを特徴とする壁パネルの設置方法。
【請求項６】
請求項５に記載の壁パネルの設置方法において、
外装材又は内装材のうちの少なくとも一方を前記壁パネル本体に予め取り付けておくことを特徴とする壁パネルの設置方法。
【発明の詳細な説明】
【０００１】
【発明の属する技術分野】
本発明は、パネル工法による建物の構築に用いられる、壁パネル、ドア枠の取付構造、壁パネルの設置方法に関する。
【０００２】
【背景の技術】
近年、住宅の構築においては、いわゆるプレハブ化が進み、特に最近は洗練されたプランが多く生み出され、工期とともにデザイン性も注目されている。
ところで、パネル工法による住宅の構築に際して、玄関ドア等のドアを設ける場合には、一般に以下のようにして行われる。すなわち、例えば図４に示すように、下端が開口された開口部１１１ｃを有して略門型に工場形成された壁パネル本体１１１を現場に運搬して所定位置に設置し、この設置された壁パネル本体１１１の開口部１１１ｃにドア枠１１２を取り付け、さらに、ドア枠１１２にドア１１７を取り付けるとともに、壁パネル本体１１１に外装材や内装材を取り付ける、という一連の工程を経る。
【０００３】
上記従来技術は、設計者や施工者等が公然と実施していたものの、特許文献等による開示はされていなかった。
【０００４】
【発明が解決しようとする課題】
ところで、壁パネル本体１１１には、ドア枠１１２が取り付けられていないと外装材又は内装材を取り付けることが難しい。外装材や内装材のドア枠との納まりが重要となるからである。したがって、上記従来の技術においては、ドア枠１１２を現場で取り付ける必要があるとともに、外装材や内装材も現場で取り付ける必要があり、現場での作業員の労力、作業時間等において、施工性が良いとは言えなかった。
【０００５】
このようにドア枠１１２を現場で取り付けなければならなかった理由としては、ドア枠１１２自体の剛性は大きいものではなく、また、下端が開口された開口部１１１ｃを有して略門型に形成された壁パネル本体１１１も、その形状の特殊性から剛性が大きいものではない。したがって、ドア枠１１２を予め工場等で壁パネル本体１１１に取り付けると、壁パネル本体１１１が現場等へ運搬する途中等に変形し、これによりドア枠１１２も変形してしまう、という欠点があったからであると考えられる。
【０００６】
本発明の課題は、ドア枠が予め設けられることで現場での作業性を良好とする、壁パネル、この壁パネルに対するドア枠の取付構造、前記壁パネルの設置方法を提供することである。
【０００７】
【課題を解決するための手段】
上記課題を解決するために、請求項１に記載の発明は、例えば図１〜図５に示すように、
下端が開口された開口部１１ｃを有して略門型に形成された壁パネル本体１１と、下辺部１２ｃが壁パネル本体１１下端より下方に突出した状態に前記開口部１１ｃに対して予め取り付けられるドア枠１２とを備えた壁パネル１０であって、
前記壁パネル本体１１には、前記開口部１１ｃを挟んで互いに対向する下端部１１ｄを繋ぎ、前記ドア枠１２の下辺部１２ｃを外側から覆う補強部材１３が予め取り付けられていることを特徴としている。
【０００８】
請求項１に記載の発明によれば、前記開口部１１ｃを挟んで互いに対向する下端部１１ｄを繋いだ状態に壁パネル本体１１に予め取り付けられる補強部材１３によって前記壁パネル本体１１の変形が防止される。壁パネル本体１１の変形が防止されることで、壁パネル本体１１の開口部１１ｃに予め取り付けられているドア枠１２の変形も防止される。なお、前記ドア枠１２の下辺部１２ｃは、前記補強部材１３によって外側から覆われているので、前記ドア枠１２の変形はさらに防止される。すなわち、ドア枠１２をその変形が防止された状態に壁パネル本体１１の開口部１１ｃに予め取り付けることができるので、ドア枠１２を現場で取り付ける必要がない。さらに、ドア枠１２が予め壁パネル本体１１に取り付けられていると、ドア枠１２との納まりが重要となる外装材や内装材を、予め壁パネル本体１１に取り付けておくこともできる。すなわち、現場におけるドア枠１２の壁パネル本体１１に対する取り付け作業や、外装材や内装材の壁パネル本体１１に対する取り付け作業を省略して施工性を良好とすることができる。
【０００９】
請求項２に記載の発明は、請求項１に記載の壁パネル１０において、
前記壁パネル本体１１には、外装材又は内装材のうちの少なくとも一方が予め取り付けられていることを特徴としている。
【００１０】
請求項２に記載の発明によれば、前記壁パネル本体１１には、外装材又は内装材のうちの少なくとも一方が予め取り付けられているため、外装材や内装材を現場で壁パネル本体１１に取り付ける作業を省くことができる。
【００１１】
なお、前記したように、外装材や内装材を壁パネル本体１１に予め取り付けることができる理由は、外装材や内装材を、壁パネル本体１１に予め取り付けられているドア枠１２との間で精度良く収めることができるからである。
【００１２】
請求項３に記載の発明は、例えば図２、図３に示すように、請求項１又は請求項２に記載の壁パネル１０において、
前記補強部材（補強部材１３）には、その前記壁パネル１０に取り付けられた状態での壁パネル１０の運搬手段（運搬パレット１４）による運搬の際に、前記運搬手段（運搬パレット１４）の構成部材（蝶ナット１４ｂ）が接触することを防止する切欠部１３ａ２が形成されていることを特徴としている。
【００１３】
請求項３に記載の発明によれば、前記補強部材１３が取り付けられた状態の壁パネル１０を運搬手段（運搬パレット１４）によって運搬する際に、前記補強部材１３は前記切欠部１３ａ２によって、前記運搬手段（運搬パレット１４）の構成部材（蝶ナット１４ｂ）が接触することが防止される。したがって、壁パネル１０の運搬手段（運搬パレット１４）による運搬を安定的に行うことができる。
【００１４】
請求項４に記載の発明は、例えば図１〜図５に示すように、
下端が開口された開口部１１ｃを有して略門型に形成された壁パネル本体１１の前記開口部１１ｃにドア枠１２が取り付けられるドア枠１２の取付構造において、
下端が開口された開口部１１ｃを有して略門型に形成された壁パネル本体１１の前記開口部１１ｃに対して、下辺部１２ｃが壁パネル本体１１下端より下方に突出した状態にドア枠１２が予め取り付けられたドア枠１２の取付構造であって、
前記ドア枠１２の前記開口部１１ｃに対する取付は、前記壁パネル本体１１の前記開口部１１ｃを挟んで互いに対向する下端部１１ｄを繋ぐ補強部材１３によって下辺部１２ｃが外側から覆われた状態でなされていることを特徴としている。
【００１５】
請求項４に記載の発明によれば、前記開口部１１ｃを挟んで互いに対向する下端部１１ｄを繋いだ状態に壁パネル本体１１に予め取り付けられた補強部材１３によって前記壁パネル本体１１の変形が防止されている。なお、前記ドア枠１２の下辺部１２ｃは、前記補強部材１３によって外側から覆われているので、前記ドア枠１２の変形はさらに防止されている。すなわち、ドア枠１２がその変形が防止された状態に壁パネル本体１１の開口部１１ｃに予め取り付けられているので、ドア枠１２を現場で取り付ける必要がない。さらに、ドア枠１２が予め壁パネル本体１１に取り付けられていると、ドア枠１２との納まりが重要となる外装材や内装材を、予め壁パネル本体１１に取り付けておくこともできる。すなわち、現場におけるドア枠１２の壁パネル本体１１に対する取り付け作業や、外装材や内装材の壁パネル本体１１に対する取り付け作業を省略して施工性を良好とすることができる。
【００１６】
請求項５に記載の発明は、例えば図４、図５に示すように、請求項１に記載の壁パネル１０を、その開口部１１ｃにドア１７が設けられた状態に現場で設置する壁パネル１０の設置方法であって、
前記壁パネル本体１１に前記補強部材（補強部材１３）及び前記ドア枠１２を取り付けて前記壁パネル１０を予め製作し、
この壁パネル１０を現場に運搬して所定位置に設置するとともに、前記ドア枠１２にドア１７を支持させることを特徴としている。
【００１７】
請求項５に記載の発明によれば、前記壁パネル本体１１に前記補強部材１３及び前記ドア枠１２が取り付けられることで製作された壁パネル１０が、現場に運搬されて所定位置に設置されるとともに、前記ドア枠１２にはドア１７が支持される。すなわち、現場でドア枠１２を取り付ける必要がない。また、ドア枠１２が予め壁パネル本体１１に取り付けられているので、ドア枠１２との間の収まりが重要となる外装材や内装材を、予め壁パネル本体１１に取り付けておくこともできる。すなわち、現場におけるドア枠１２の取り付け作業や外装材や内装材の壁パネル本体１１に対する取り付け作業を省略して施工性を良好とすることができる。
【００１８】
請求項６に記載の発明は、請求項５に記載の壁パネルの設置方法において、
外装材又は内装材のうちの少なくとも一方を前記壁パネル本体１１に予め取り付けておくことを特徴としている。
【００１９】
請求項６に記載の発明によれば、前記壁パネル本体１１には、外装材又は内装材のうちの少なくとも一方が予め取り付けられるため、外装材や内装材を現場で壁パネル本体１１に取り付ける作業を省くことができる。
【００２０】
【発明の実施の形態】
以下、図１〜図５を参照して、本発明である壁パネル、ドア枠の取付構造、壁パネルの設置方法の実施形態について詳細に説明する。図１において符号１０は、本発明に係る壁パネルを示す。
【００２１】
本発明に係る壁パネル１０は、例えば図１に示すように、壁パネル本体１１、ドア枠１２、補強部材１３（補強部材）等から概略構成されている。
【００２２】
壁パネル本体１１は、芯材１１ａの両面に面材１１ｂが取り付けられて構成され、開口部１１ｃを有して略門型に形成されている。壁パネル本体１１は、ドア１７等が風圧を受けた際等に十分耐え得るように所定の剛性を有して形成されている。
【００２３】
ドア枠１２は、壁パネル本体１１の開口部１１ｃに対して予め取り付けられて、後述するドア１７を支持するものである。一対の側辺部１２ａ、上辺部１２ｂ、下辺部１２ｃを有して略矩形状に形成されたドア枠１２は、下辺部１２ｃが壁パネル本体１１下端より下方に突出した状態に開口部１１ｃに対して取り付けられている。ドア枠１２の一方の側辺部１２ａにはドア枠１２を取り付けるための取付金具１２ａ１が、ビス等によって固定されている。なお、ドア枠１２の構成材料としては、木材、金属、樹脂等、いかなるものでもよい。
【００２４】
補強部材１３は、略門型に形成された壁パネル本体１１の互いに対向する下端部１１ｄを連結した状態に設けられるものであり、一対の側辺部１３ａと下辺部１３ｂとが固定されて略コ字状に形成されている。
【００２５】
側辺部１３ａは、概略、鋼材であるアングル材からなるものであり、壁パネル本体１１の開口部１１ｃに取り付けるためのビス孔１３ａ１が所定箇所に形成されている。
【００２６】
側辺部１３ａは、その下端部が切欠部１３ａ２を有するようにクランク状に形成されており、下辺部１３ｂを受けるための受材１３ａ３が溶接固定されている。なお、壁パネル１０は、補強部材１３が取り付けられた状態で、図３（ｂ）にも示す運搬パレット１４等によって運搬される場合があるが、運搬パレット１４の下部にはこの運搬パレット１４の幅を調整するための蝶ナット１４ｂが設けられている場合がある。この場合にも、切欠部１３ａ２によって、蝶ナット１４ｂが補強部材１３に接触して補強部材１３が傷付いてしまうことが防止される。
【００２７】
下辺部１３ｂは、概略、鋼材であるアングル材からなるものであり、側辺部１３ａに取り付けるためのビス孔１３ｂ１が所定箇所に形成されている。なお、前記した運搬パレット１４には、その底面に滑りを防止するための溝１４ａが形成されている場合がある。この場合にも、下辺部１３ｂのフラットなフランジ部が溝１４ａに嵌まり込まない状態に底面に当接し、下辺部１３ｂに無理な力が作用することが防止される。
【００２８】
以下、本発明に係る壁パネル１０の設置方法について説明する。
【００２９】
先ず、図４（ａ）、図４（ｂ）に示すように、壁パネル１０の生産ラインにおいて、壁パネル本体１１と補強部材１３とをそれぞれ製作し、補強部材１３をそのビス孔１３ａ１からビスによって壁パネル本体１１に取り付ける。
【００３０】
次に、生産ラインにおいて、図４（ｃ）、図４（ｄ）に示すように、ドア枠１２を用意し、壁パネル本体１１の開口部１１ｃにビス等によって取り付ける。
【００３１】
以上のように製作された壁パネル１０を現場まで運搬する。この際、壁パネル１０をトラック等に積み込むまでの運搬は、壁パネル１０を運搬パレット１４に積み込んで行うが、運搬パレット１４の下部にはこの運搬パレット１４の幅を調整するための蝶ナット１４ｂが設けられている場合がある。この場合にも、切欠部１３ａ２によって、蝶ナット１４ｂが補強部材１３に接触して補強部材１３が傷付いてしまうことが防止される。
【００３２】
次に、図５（ａ）に示すように、現場の所定位置に壁パネル１０を設置するための基礎１５及び土間１６を設ける。
【００３３】
次に、図５（ｂ）に示すように、基礎１５の上端部に壁パネル本体１１の下端部１１ｄが載置され、土間１６上に、補強部材１３の下辺部１３ｂが載置されるようにする。
【００３４】
次に、図５（ｃ）、図５（ｄ）に示すように、取付金具にビス固定することでドア枠１２に取り付け、土間１６にはタイル１６ａ等を敷設して仕上げる。
【００３５】
本実施の形態によれば、以下のような効果を得ることができる。
▲１▼開口部１１ｃを挟んで互いに対向する下端部１１ｄを繋いだ状態に壁パネル本体１１に予め取り付けられる補強部材１３によって壁パネル本体１１の変形が防止される。壁パネル本体１１の変形が防止されることで、壁パネル本体１１の開口部１１ｃに予め取り付けられているドア枠１２の変形も防止される。なお、ドア枠１２の下辺部１２ｃは、補強部材１３によって外側から覆われているので、ドア枠１２の変形はさらに防止される。すなわち、ドア枠１２をその変形が防止された状態に壁パネル本体１１の開口部１１ｃに予め取り付けることができるので、ドア枠１２を現場で取り付ける必要がない。さらに、ドア枠１２が予め壁パネル本体１１に取り付けられていると、ドア枠１２との納まりが重要となる外装材や内装材を、予め壁パネル本体１１に取り付けておくこともできる。すなわち、現場におけるドア枠１２の壁パネル本体１１に対する取り付け作業や、外装材や内装材の壁パネル本体１１に対する取り付け作業を省略して施工性を良好とすることができる。
【００３６】
▲２▼壁パネル１０には、外装材及び内装材が予め取り付けられているため、外装材や内装材を現場で壁パネル本体１１に取り付ける手間を省くことができる。
【００３７】
▲３▼補強部材１３が取り付けられた状態の壁パネル１０を運搬パレット１４によって運搬する際に、補強部材１３は１３ｂによって、運搬パレット１４の幅を調整するための蝶ナット１４ｂが接触することが防止される。したがって、壁パネル１０の運搬パレット１４による運搬を安定的に行うことができる。
【００３８】
▲４▼壁パネル本体１１に補強部材１３及びドア枠１２が取り付けられることで製作された壁パネル１０が、現場に運搬されて所定位置に設置されるとともに、ドア枠１２にはドア１７が支持される。すなわち、現場でドア枠１２を取り付ける必要がない。また、ドア枠１２が予め壁パネル本体１１に取り付けられているので、ドア枠１２との間の収まりが重要となる外装材や内装材を、予め壁パネル本体１１に取り付けておくこともできる。すなわち、現場におけるドア枠１２の取り付け作業や外装材や内装材の壁パネル本体１１に対する取り付け作業を省略して施工性を良好とすることができる。
【００３９】
【発明の効果】
請求項１に記載の発明によれば、ドア枠をその変形が防止された状態に壁パネル本体の開口部に予め取り付けることができるので、ドア枠を現場で取り付ける必要がない。さらに、ドア枠が予め壁パネル本体に取り付けられていると、ドア枠との納まりが重要となる外装材や内装材を、予め壁パネル本体に取り付けておくこともできる。すなわち、現場におけるドア枠の壁パネル本体に対する取り付け作業や、外装材や内装材の壁パネル本体に対する取り付け作業を省略して施工性を良好とすることができる。
【００４０】
請求項２に記載の発明によれば、請求項１に記載の発明と同様の効果が得られることは勿論のこと、外装材や内装材を現場で壁パネル本体に取り付ける手間を省くことができる。
【００４１】
請求項３に記載の発明によれば、請求項１又は請求項２に記載の発明と同様の効果が得られることは勿論のこと、前記補強部材が取り付けられた状態の壁パネルを運搬手段によって運搬する際に、前記補強部材は前記切欠部によって、前記運搬手段の構成部材が接触することが防止される。したがって、壁パネルの運搬手段による運搬を安定的に行うことができる。
【００４２】
請求項４に記載の発明によれば、ドア枠がその変形が防止された状態に壁パネル本体の開口部に予め取り付けられているので、ドア枠を現場で取り付ける必要がない。さらに、ドア枠が予め壁パネル本体に取り付けられていると、ドア枠との納まりが重要となる外装材や内装材を、予め壁パネル本体に取り付けておくこともできる。すなわち、現場におけるドア枠の壁パネル本体に対する取り付け作業や、外装材や内装材の壁パネル本体に対する取り付け作業を省略して施工性を良好とすることができる。
【００４３】
請求項５に記載の発明によれば、現場でドア枠を取り付ける必要がない。また、ドア枠が予め壁パネルに取り付けられているので、ドア枠との間の収まりが重要となる外装材や内装材を、予め壁パネル本体に取り付けておくこともできる。すなわち、現場におけるドア枠の取り付け作業や外装材や内装材の壁パネル本体に対する取り付け作業を省略して施工性を良好とすることができる。
【００４４】
請求項６に記載の発明によれば、請求項５に記載の発明と同様の効果が得られることは勿論のこと、外装材や内装材を現場で壁パネル本体に取り付ける手間を省くことができる。
【図面の簡単な説明】
【図１】本発明に係る壁パネルを示す斜視図である。
【図２】本発明に係る補強部材を示す、（ａ）は上面図、（ｂ）は正面図、（ｃ）は側面図である。
【図３】（ａ）は、本発明に係る補強部材の一部を示す斜視図であり、（ｂ）は、本発明に係る壁パネルが運搬台車に載置された状態での補強部材近傍を示す断面図である。
【図４】（ａ）〜（ｄ）ともに、本発明に係る壁パネルを工場で製作する一連の工程のうちの一工程を示す斜視図である。
【図５】（ａ）〜（ｄ）ともに、本発明に係る壁パネルを現場で設置する一連の工程のうちの一工程を示す斜視図である。
【図６】（ａ）〜（ｄ）ともに、従来の壁パネルを現場で設置する一連の工程のうちの一工程を示す斜視図である。
【符号の説明】
１０            壁パネル
１１          壁パネル本体
１１ｃ      開口部
１１ｄ      下端部
１２          ドア枠
１２ｃ      下辺部
１３          補強部材
１３ａ２  切欠部
１４          運搬パレット（運搬手段）
１４ｂ      蝶ナット（構成部材）
１７          ドア
【図１】
2004156374.tif 000003
【図２】
2004156374.tif 000004
【図３】
2004156374.tif 000005
【図４】
2004156374.tif 000006
【図５】
2004156374.tif 000007
【図６】
2004156374.tif 000008